(57)【特許請求の範囲】
【請求項１】
ゲーム機本体の前面下方にコイン払出装置から払出されたコインを受け入れるコイン皿を有するコインゲーム機において、前記コイン皿の底壁にコイン落下用の開口部を設け、該開口部の左右側端にレール溝を形成し、該開口部を閉塞させる開閉部材の左右側端に前記レール溝に嵌挿する突出片を形成し、該開閉部材の前端壁の下縁に受止部を前方に張り出すように形成し、一方、前記ゲーム機本体に前記開閉部材が収納されるよう前面開口した箱枠体を水平に設けると共に、コイルばねを該箱枠体内に水平状に設け、該コイルばねの前端を該開閉部材の後端に衝止し、該コイルばねの弾発付勢で該開閉部材が前記開口部を閉塞した状態に保持され、コイン貯留容器の鍔部を前記受止部で受け止めさせた状態で該コイン貯留容器をゲーム機本体に向けて押し付けることで前記コイルばねが圧縮されて開閉部材が箱枠体内に押し込められ前記開口部が開放されるようにしたことを特徴とするコインゲーム機のコイン皿。
【請求項２】
開閉部材の前端面をテーパ面とした請求項１記載のコインゲーム機のコイン皿。
【発明の詳細な説明】
【０００１】
【発明の属する技術分野】
本発明は、スロットマシンなどのようにコインが払い出されるコインゲーム機のコイン皿の改良に関するものである。
【０００２】
【従来の技術】
従来、この種のコインゲーム機のコイン皿はゲーム機本体の下部前面に設けられて、コイン払出装置からのコインを受け入れるようになっている。そしてコインが溜ったときやゲームを終えるときはコイン皿のコインを何回も指で掻き寄せて、コイン皿の前側壁を乗り越えさせてコイン貯留容器に移し替えている。このために、コイン皿はコインを取り出し易くするように周壁を低く、つまり浅く作られていてコインを収容できる容量が限られていた。
【０００３】
【発明が解決しようとする課題】
しかしながら、ゲームでいわゆる「大当たり」が発生して大量のコインが払い出されると忽ちコイン皿からコインが溢れ、ゲームを中断してコインを取り出さねばならないために著しくゲームの興趣を損なうことになる。また、貯ったコインをコイン貯留容器に移し替えるためにコイン皿から何回も掻き出さねばならず、その手間が大変面倒でしかも最近増えた女性客の爪が割れたり傷ついたりするという問題があった。
そこで本発明は、コイン皿からコインを一々手で掻き出してコイン貯留容器に移し替えることなく一気にコイン貯留容器に移し替えることができるコイン皿を提供することを目的としている。
【０００４】
【課題を解決するための手段】
上記目的を達成するため本発明に係わるコインゲーム機のコイン皿は、ゲーム機本体の前面下方にコイン払出装置から払出されたコインを受け入れるコイン皿を有するコインゲーム機において、前記コイン皿の底壁にコイン落下用の開口部を設け、該開口部の左右側端にレール溝を形成し、該開口部を閉塞させる開閉部材の左右側端に前記レール溝に嵌挿する突出片を形成し、該開閉部材の前端壁の下縁に受止部を前方に張り出すように形成し、一方、前記ゲーム機本体に前記開閉部材が収納されるよう前面開口した箱枠体を水平に設けると共に、コイルばねを該箱枠体内に水平状に設け、該コイルばねの前端を該開閉部材の後端に衝止し、該コイルばねの弾発付勢で該開閉部材が前記開口部を閉塞した状態に保持され、コイン貯留容器の鍔部を前記受止部で受け止めさせた状態で該コイン貯留容器をゲーム機本体に向けて押し付けることで前記コイルばねが圧縮されて開閉部材が箱枠体内に押し込められ前記開口部が開放されるようにしたことを特徴とする。
また、本発明は上記コインゲーム機のコイン皿において、開閉部材の前端面をテーパ面としたことを特徴とする。
【０００５】
また、前記開閉部材の上面を凹凸面に形成することで、開閉部材の上面に接するコインの少なくとも一部が浮き上がって指先に掛かり易くし、ゲーム中に残り少なくなったコインを取り出す際に指で掻き出し易くした。
【０００６】
【発明の実施の形態】
以下に本発明に係わるコインゲーム機のコイン皿の実施の形態を図面と共に説明する。図１は本発明が適用されるスロットマシンの斜視図、図２は断面図である。スロットマシンゲーム機本体１の前面上部に３個のリール２，２，２が横並びに配列され、その下方にコイン投入口３とスタートレバー４及び３個のストップボタン５，５，５が配置される。そして、ゲーム機本体１の下部中央にコイン払出装置６から払出されるコインの払出口６ａが設けられ、このコイン払出口６ａの下方にコイン皿７が突設される。
【０００７】
このスロットマシンは、コイン投入口３よりコインを投入した後、スタートレバー４を操作して３個のリール２，２，２を回転させ、次いでストップボタン５，５，５順次押してそれらに対応する前記リール２，２，２を順次停止させ、その際のリール２，２，２の各外周面に表示した図柄の組み合わせにより勝負を決し、一定の有効図柄の組み合わせのみ、所定枚数のコインをコイン払出装置６から払い出し、コイン皿７に受けるようになっている。
【０００８】
しかして前記コイン皿７は合成樹脂製で、図３に示すように四方側壁８ａ〜８ｄと底壁９とで上面で開口した箱状に形成される。そして、前記底壁９に開口部１０を形成し、該開口部１０の左右両側に開口部１０に向って傾斜する傾斜底壁９ａ，９ａを設けている。前記開口部１０には左右側端に図４に示すように凹溝よりなるレール溝１１，１１を形成している。１２は前記開口部１０を開閉自在に閉塞させる開閉部材であり、該開閉部材１２は底板１３と枠体１４とからなり、前記底板１３は左右側端に前記底壁９と面一になるように前記レール溝１１，１１に嵌挿させる突出片１５，１５を形成し、前端面はテーパ面１３ａとしている。また枠体１４の前端壁１４ａの下端に図５に示すように運搬用のコイン貯留容器Ａの鍔部を受け止めさせる逆Ｌ字形の受止部１６を形成している。さらに底板１３の下面と枠体１４の上面短手方向に間隔を隔ててそれぞれ凹溝１７ａ，１７ｂを２条設けている。該凹溝１７ａ，１７ｂは前記底板１３の下面に前記枠体１４をビス着して重合させた際に後述する支軸１９のガイドの役割を果す。
【０００９】
一方、前記ゲーム機本体１に、コイン皿７の開口部１０端を一致させて、前面で開口し前記開閉部材１２が収納する箱枠体１８を水平に設ける。１９，１９は一端を支持板２０，２０に固設した支軸であり、それぞれにコイルばね２１，２１を巻装させる。これらの支軸１９，１９は開閉部材１２に設けた凹溝１７ａ，１７ｂに嵌挿可能なように位置決めして支持板２０，２０を箱枠体１８の後側壁１８ａに固着して箱枠体１８内に支軸１９，１９を水平状に固定させる。
そして、底板１３の左右側端に形成した突出片１５，１５を開口部１０の左右側端に設けたレール溝１１，１１に嵌挿させ、開閉部材１２の後端を支軸１９，１９に巻装したコイルばね２１，２１の前端に衝止させ、これらのコイルばね２１，２１の弾発付勢で開閉部材１２が開口部１０を閉塞した状態に保持させる。
【００１０】
このように構成されるコイン皿７に溜ったコインをコイン貯留容器Ａに移し替えるには、図５に示すようにコイン貯留容器Ａの鍔部を開閉部材１２の下方で枠体１４の前端壁１４ａに当てがい、受止部１６で受け止めさせた状態でコイン貯留容器Ａをゲーム機本体１に向けて押し付けることで図５鎖線のように開閉部材１２の後端でコイルばね２１，２１が圧縮されて開閉部材１２を箱枠体１８内に押し込めて開口部１０を開放させる。そしてコイン皿７に溜っているコインＣを下方に落下させて開口部１０の下方に位置するコイン貯留容器Ａに収容し、一気に移し替えることができる。このとき開口部１０に臨む底板１３のテーパー面１３ａは落下するコインＣがコイン貯留容器Ａの周縁に乗らないようにするガイドの役割を果す。さらにコイン貯留容器Ａの後方は受止部１６で受け止められているので大量のコインが一気に収容されてもコインＣをこぼすことなく楽にコイン貯留容器Ａを持つことができる。
そして、コイン貯留容器Ａを取り除けば開閉部材１２はコイルばね２１，２１の弾発付勢により図５実線に示す状態に自動的に復帰する。
【００１１】
また開閉部材１２の上面を図６に示すように凸部２２ａと凹部２２ｂとを交互に設けた凹凸面２２に形成すると開閉部材１２の上面に接するコインＣの少なくとも一部が確実に浮き上がって指先Ｆが掛かり易く、コインＣが容易に掻き寄せることができる。
【００１２】
【発明の効果】
以上に述べたように本発明に係わるコインゲーム機のコイン皿は、底壁に設けた開口部を開閉させる開閉部材の後端側を、ゲーム機本体に設けた箱枠体に水平に支持させた支軸に巻装したコイルばねの弾発付勢により開口部を閉塞した状態を保持させ、コイン皿に溜ったコインをコイン貯留容器に移し替える場合は、開閉部材の前端に設けた受止部にコイン貯留容器の鍔部を受け止め、該コイン貯留容器をゲーム機本体に向けて押し付けることでコイルばねを圧縮させ、開口部を開放してコイン皿のコインを落下させて容易にしかも手を汚すことなく迅速に収容することができる。さらに、このようにコインを底壁に設けた開口部から移し替えるものであるから側壁を高く形成してもコインの取り出しに全く支障はなく、側壁を高くできることでコイン皿のコイン収容量を増加させることができ、コインのコイン貯留容器への移し替えを頻繁に行なわなくてもよくなり、コインの移し替えの都度ゲームを中断して興趣を殺ぐことも解消することができる。
【００１３】
また、開閉部材の上面を凹凸面に形成することでコインが指先に掛かり易くなり、例えばゲーム中に残り少なくなったコインを取り出す際にも容易に掻き寄せて取り出すことができる。
【図面の簡単な説明】
【図１】  本発明が適用されるコインゲーム機の斜視図。
【図２】  図１の断面図。
【図３】  コイン皿の分解斜視図。
【図４】  コイン皿の正面断面図。
【図５】  コイン皿の側面断面図。
【図６】  開閉部材の上面を凹凸面にした断面図。
【符号の説明】
１                ゲーム機本体
６                コイン払出装置
７                コイン皿
９                底壁
１０              開口部
１１，１１        レール溝
１２              開閉部材
１３              底板
１３ａ            テーパ面
１４              枠体
１４ａ            前端壁
１５，１５        突出片
１６              受止部
１７ａ，１７ｂ    凹溝
１８              箱枠体
２１，２１        コイルばね
Ａ                コイン貯留容器
Ｃ                コイン
【図１】
0004106105.tif 000002
【図２】
0004106105.tif 000003
【図３】
0004106105.tif 000004
【図４】
0004106105.tif 000005
【図５】
0004106105.tif 000006
【図６】
0004106105.tif 000007